(57)【要約】【課題】本川から取水口へ流入しようとする産業廃棄物や流木等の浮遊物の流入を阻止し、取水路に付設される塵芥除去装置の除塵能力の低下を来さないようにすることを目的とする。【解決手段】本川１から取水する取水口２ａに設置される浮遊物流入防止装置であって、前記取水口２ａの両側にガイドレール３，３を設け、該ガイドレール３，３にフロート４の両端を昇降自在に係合し、該フロート４の下面に１１枚のカーテン片６を一列にクリンカー重ねにして取付け、且つ前記ガイドレール３，３と係合するフロート４の両端にそれぞれサイドバランスローラ７，７，７，７を設けると共に、前記フロート４の両側にネジ杆９よりなるバランスウエイト取付部を設ける。【選択図】図２
2010043408.tif 000002
【特許請求の範囲】
【請求項１】
本川から取水する取水口に設置される浮遊物流入防止装置であって、前記取水口の両側にガイドレールを設け、該ガイドレールにフロートの両端を昇降自在に係合し、該フロートの下面に適数のカーテン片を一列にクリンカー重ねにして取付けたことを特徴とする浮遊物流入防止装置。
【請求項２】
前記ガイドレールと係合するフロートの両端にそれぞれサイドバランスローラを設けたことを特徴とする請求項１記載の浮遊物流入防止装置。
【請求項３】
前記フロートの両側にバランスウエイト取付部を設けたことを特徴とする請求項１または２記載の浮遊物流入防止装置。
【発明の詳細な説明】
【技術分野】
【０００１】
本発明は、本川から取水口に流入する浮遊物の流入防止装置に関するものである。
【背景技術】
【０００２】
河川や用水路等から取水する取水路には、一般に塵芥捕捉用のバースクリーンを配置し、このスクリーンに溜まった塵芥を掻き上げ式レーキによって除去する機械式の塵芥除去装置が設けられているが、近年、河川を流れる浮遊物に産業廃棄物が多くなり、その浮遊物がスクリーンに絡み付いて堆積し、水流を阻害すると共に、除塵機の除塵能力を超える状態となって塵芥除去不能となることが多くなった。
【０００３】
そのため、塵芥除去装置を大型化しなければならず、建設費の増大を来たしている。
【特許文献１】特開２００２−３１７４２８号公報
【発明の開示】
【発明が解決しようとする課題】
【０００４】
そこで本発明は、本川から取水口へ流入しようとする産業廃棄物や流木等の浮遊物の流入を阻止し、取水路に付設される塵芥除去装置の除塵能力の低下を来さないようにすることを目的とするものである。
【課題を解決するための手段】
【０００５】
本発明は上記の課題を解決するためになされたもので、請求項１記載の発明は、本川から取水する取水口に設置される浮遊物流入防止装置であって、前記取水口の両側にガイドレールを設け、該ガイドレールにフロートの両端を昇降自在に係合し、該フロートの下面に適数のカーテン片を一列にクリンカー重ねにして取付けたことを特徴とする浮遊物流入防止装置である。
【０００６】
請求項２記載の発明は、請求項１記載の発明において、前記ガイドレールと係合するフロートの両端にそれぞれサイドバランスローラを設けたことを特徴とする浮遊物流入防止装置である。
【０００７】
請求項３記載の発明は、請求項１または請求項２記載の発明において、前記フロートの両側にバランスウエイト取付部を設けたことを特徴とする浮遊物流入防止装置である。
【発明の効果】
【０００８】
請求項１記載の発明によれば、フロートは水位の変動に追従して上下動するため、浮遊物の取水路内への流入を適確に防止すると共に、カーテン片を本川の流下方向に沿ってクリンカー重ねに設けることにより、フロートまたはカーテン片から浮遊物の流去を容易にすると共に、取水路内の浮遊物流出を容易にして、渠内への沈滞を防止する。
【０００９】
また、請求項２記載の発明によれば、水位変動時におけるフロートの傾斜停止を防止する効果がある。
【００１０】
また、請求項３記載の発明によれば、バランスウエイト取付部に、適切な重量のバランスウエイトを取付けることにより、フロートの水平維持の完全を期すことができる。
【００１１】
更に、請求項１ないし請求項３記載の浮遊物流入防止装置を本川の取水口に配置することにより、浮遊物の取水路への流入を阻止し、ポンプ、ゲート等主設備の機能低下又は障害を及ぼすことを未然に防止する。
【００１２】
従って、除塵機は従来よりも除塵能力の低いもので済むようになるため、除塵機設置の建設費を抑制する実益があり、本装置は定期点検以外の運転コストを要しないことと相俟って、ポンプ、ゲート等主設備の付属設備として有用なものである。
【実施例１】
【００１３】
図１は本発明の実施例１の縦断側面図、図２は図横断平面図で、１は本川、２は取水路である。
【００１４】
図１及び図２において、３，３は取水口２ａの両側に設けたガイドレールで、上面にストッパー３ａが設けられている。４は円筒状のフロートで、両端に設けたブラケット５，５を、それぞれ前記ガイドレール３，３に係合し、下面には１１枚のカーテン片６が本川１の流れの方向に一列にクリンカー重ねに設けられている。
【００１５】
図３は実施例１のフロートの拡大平面図、図４はその正面図、図５は同底面図、図６は同側面図で、フロート４の両端に設けたブラケット５，５には、それぞれ上下に２個づつのサイドバランスローラ７，７，７，７が設けられ、更に各ブラケット５，５の上下の突片５ａ，５ａには、図７に示すような孔明のバランスウエイト８を挿通するネジ杆９の上下がナット止されている。
【００１６】
以上のように構成されたフロート４は、本川１の水位に、追従して円滑に上下動し、本川の水位が急激に低下した場合でも傾斜停止することはない。なおフロート４の吃水線の調整や、水平状態の調整は適数個のバランスウエイト８を左右のバランスウエイト取付部、すなわちネジ杆９，９に挿通させることにより行なうことができる。
【００１７】
そして、本実施例装置を取水路２の入口に配置した時は、大きな浮遊物は取水路２への流入を阻止されると共に、本川を流れる水流によってカーテン片６に沿って本川の下流方向に流される。
【００１８】
また、取水路２側にある小さい浮遊物は、カーテン片６，６の間を本川の流れに吸い出されるようにして本川側に排出される。
【００１９】
従って、除塵機の障害物となる浮遊物は、取水路２へは流入しないので、例えば自動運転の除塵機がスクリーンに堆積した浮遊物によって故障を起こしたり、ポンプが故障したりすることを未然に防止することができ、定期点検のみで、運転コストがかからないことと相俟って優れたものである。
【図面の簡単な説明】
【００２０】
【図１】実施例１の縦断側面図。
【図２】実施例１の横断側面図。
【図３】実施例１のフロートの拡大平面図。
【図４】実施例１のフロートの拡大正面図。
【図５】実施例１のフロートの拡大底面図。
【図６】実施例１のフロートの拡大側面図。
【図７】実施例１のバランスウエイトの拡大平面図。
【符号の説明】
【００２１】
１    本川
２    取水路
２ａ  取水口
３    ガイドレール
４    フロート
５    ブラケット
５ａ  突片
６    カーテン片
７    サイドバランスローラ
８    バランスウエイト
９    ネジ杆
【図１】
2010043408.tif 000003
【図２】
2010043408.tif 000004
【図３】
2010043408.tif 000005
【図４】
2010043408.tif 000006
【図５】
2010043408.tif 000007
【図６】
2010043408.tif 000008
【図７】
2010043408.tif 000009